(57)【要約】【課題】超音波振動によって液体を霧化するとともに、従来よりも一層吸入が効率よく行われるようにする。【解決手段】超音波振動子の超音波振動により液体を霧化するとともに、超音波振動子に対して電位を与えて霧化された液体を帯電させることにより、霧化された液体を体内に取り込む。超音波振動子に対して、少なくとも２つの異なる周波数を有する電位を与える。その場合に、例えば、第１の周波数から前記第１の周波数とは異なる第２の周波数まで掃引するスイープ電圧を与える。【選択図】図１
2007185439.tif 000002
【特許請求の範囲】
【請求項１】
超音波振動子の超音波振動により液体を霧化するとともに、前記超音波振動子に対して電位を与えて霧化された液体を帯電させることにより、霧化された液体を体内に取り込むことを特徴とする霧化吸入方法。
【請求項２】
前記超音波振動子に対して、少なくとも２つの異なる周波数を有する電位を与える、
請求項１記載の霧化吸入方法。
【請求項３】
超音波振動子の超音波振動により液体を霧化してヒトなどの目標体が吸引するために用いる液体霧化方法であって、
前記超音波振動子と前記目標体との間に電圧を印加することによって霧化された液体を帯電させる、
ことを特徴とする液体霧化方法。
【請求項４】
液体を収納するタンクと、
前記タンクに収納された液体を超音波振動により霧化して射出口から外方へ射出する超音波駆動装置と、
前記射出口と吸入目標体との間に電圧を印加して霧化された液体を帯電させるための電圧印加装置と、
を有することを特徴とする霧化吸入装置。
【請求項５】
前記電圧印加装置は、少なくとも２つの異なる周波数を有する電圧を出力する、
請求項４記載の霧化吸入装置。
【請求項６】
前記電圧印加装置は、第１の周波数を有する第１の電圧と、前記第１の周波数とは異なる第２の周波数を有する第２の電圧とを、時間軸に沿って異なる位置で出力する、
請求項５記載の霧化吸入装置。
【請求項７】
前記電圧印加装置は、第１の周波数から前記第１の周波数とは異なる第２の周波数まで掃引するスイープ電圧を出力する、
請求項５記載の霧化吸入装置。
【請求項８】
前記電圧印加装置は、第１の周波数を有する第１の電圧を前記第１の周波数とは異なる第２の周波数を有する第２の電圧によって変調した電圧を出力する、
請求項５記載の霧化吸入装置。
【請求項９】
前記電圧は、パルス状の電圧である、
請求項４ないし８のいずれかに記載の霧化吸入装置。
【請求項１０】
液体を霧化してヒトなどの目標体が吸引するために用いる液体霧化装置であって、
ハウジングと、
前記ハウジングに収納され、超音波振動子の超音波振動により液体を霧化して射出口から射出する超音波駆動装置と、
前記ハウジングの外周面に取り付けられた電極板と、
前記ハウジングに収納され、前記超音波駆動装置の射出口と前記電極板との間に電圧を印加する電圧印加装置と、
を有することを特徴とする液体霧化装置。
【請求項１１】
前記電圧印加装置は、少なくとも２つの異なる周波数を有する電圧を出力する、
請求項１０記載の液体霧化装置。
【請求項１２】
前記超音波駆動装置は、前記ハウジングの内部に装着されたタンクと、前記タンクに対して密封状態で装着された超音波振動子と、前記超音波振動子を駆動する駆動回路とを有する、
請求項１０または１１記載の液体霧化装置。
【発明の詳細な説明】
【技術分野】
【０００１】
本発明は、薬液などの液体を霧化してヒトなどの目標体が吸引するための霧化吸入方法および装置、並びに液体霧化方法および装置に関する。
【背景技術】
【０００２】
従来において、薬液などの液体を霧化してヒトが口や鼻から吸引するための霧化吸入装置が種々提案されている。
【０００３】
例えば、特許文献１には、内部に水を充填した水槽部を備えたケース本体と、水槽部の底部に配備される超音波振動子と、水槽部内に配備される薬液槽と、この薬液槽の開口上部を閉成状に覆う霧化室筒とから成る霧化吸入装置が開示されている。
【０００４】
この霧化吸入装置によると、超音波振動子を駆動することにより、超音波エネルギにより薬液槽内の薬液が霧化室筒内へ液柱となって立ち上がり、霧化室筒内に霧化液（エアロゾル）が充満する。一方、モータを駆動することでファンからの送風が霧化室筒内へ進入し、この送風により霧化液が吸入筒より外方へ噴射する。
【０００５】
また、本発明者は、超音波を利用した霧化装置を先に種々提案している（特許文献２〜６）
【特許文献１】特開平５−６８７１１号
【特許文献２】実公平５−４５４０７号
【特許文献３】実公平６−２８２０９号
【特許文献４】実用新案登録第２５５０５８０号
【特許文献５】特公平７−３２８９６号
【特許文献６】特許第２８０２９４３号
【発明の開示】
【発明が解決しようとする課題】
【０００６】
しかし、従来の霧化吸入装置による場合には、超音波振動によって液体を霧化することで吸入し易くなるものの、まだ十分に効率よく吸入が行われているとはいえない。
【０００７】
本発明は、上述の問題に鑑みてなされたもので、超音波振動によって液体を霧化するとともに、従来よりも一層吸入が効率よく行われるようにすることを目的とする。
【課題を解決するための手段】
【０００８】
本発明に係る霧化吸入方法は、超音波振動子の超音波振動により液体を霧化するとともに、前記超音波振動子に対して電位を与えて霧化された液体を帯電させることにより、霧化された液体を体内に取り込む。
【０００９】
好ましくは、前記超音波振動子に対して、少なくとも２つの異なる周波数を有する電位を与える。
【００１０】
本発明に係る液体霧化方法は、超音波振動子の超音波振動により液体を霧化してヒトなどの目標体が吸引するために用いる液体霧化方法であって、前記超音波振動子と前記目標体との間に電圧を印加することによって霧化された液体を帯電させる。
【００１１】
本発明に係る霧化吸入装置は、液体を収納するタンクと、前記タンクに収納された液体を超音波振動により霧化して射出口から外方へ射出する超音波駆動装置と、前記射出口と吸入目標体との間に電圧を印加して霧化された液体を帯電させるための電圧印加装置と、を有する。
【００１２】
好ましくは、前記電圧印加装置は、少なくとも２つの異なる周波数を有する電圧を出力する。
【００１３】
また、前記電圧印加装置は、第１の周波数を有する第１の電圧と、前記第１の周波数とは異なる第２の周波数を有する第２の電圧とを、時間軸に沿って異なる位置で出力する。
【００１４】
また、前記電圧印加装置は、第１の周波数から前記第１の周波数とは異なる第２の周波数まで掃引するスイープ電圧を出力する。
【００１５】
また、前記電圧印加装置は、第１の周波数を有する第１の電圧を前記第１の周波数とは異なる第２の周波数を有する第２の電圧によって変調した電圧を出力する。
【００１６】
また、前記電圧は、パルス状の電圧である。
【００１７】
本発明に係る液体霧化装置は、液体を霧化してヒトなどの目標体が吸引するために用いる液体霧化装置であって、ハウジングと、前記ハウジングに収納され、超音波振動子の超音波振動により液体を霧化して射出口から射出する超音波駆動装置と、前記ハウジングの外周面に取り付けられた電極板と、前記ハウジングに収納され、前記超音波駆動装置の射出口と前記電極板との間に電圧を印加する電圧印加装置と、を有する。
【００１８】
好ましくは、前記電圧印加装置は、少なくとも２つの異なる周波数を有する電圧を出力する。
【００１９】
また、前記超音波駆動装置は、前記ハウジングの内部に装着されたタンクと、前記タンクに対して密封状態で装着された超音波振動子と、前記超音波振動子を駆動する駆動回路とを有する。
【発明の効果】
【００２０】
本発明によると、超音波振動によって液体を霧化し且つ電位を与えて帯電させることにより、吸入が従来よりも一層効率よく行われる。
【発明を実施するための最良の形態】
【００２１】
図１は本発明の実施形態に係る霧化吸入方法を示す図、図２は本発明に係る実施形態の霧化吸入装置１の外観図、図３は霧化吸入装置１の内部構造の一部を示す断面図、図４はフィルタ４０の正面図および拡大断面図、図５は霧化吸入装置１の電気回路図、図６は電圧印加回路６４の出力波形の例を示す図、図７は電圧印加回路６４の出力波形の他の例を示す図、図８は電圧印加回路６４の出力波形の他の例を示す図、図９は電圧印加回路６４の出力波形の他の例を示す図である。
【００２２】
図１に示すように、本実施形態においては、霧化吸入装置１を用い、その超音波振動子１２の超音波振動により液体を霧化するとともに、超音波振動子１２に対して電位を与えて霧化された液体を帯電させ、霧化された液体を口や鼻から吸入して体内に取り込む。
【００２３】
図２をも参照して、霧化吸入装置１は、ハウジング１１の内部に超音波振動子１２が収納されており、ボタン１３を押すことによって電源がオンして超音波振動子１２が駆動するようになっている。ハウジング１１の外周面には、アルミニウムの金属箔などからなる電極板１４が貼り付けられている。電極板１４と超音波振動子１２との間に、超音波振動子１２に電位を与えるための電圧が印加されている。
【００２４】
図１によく示されるように、吸入の目標体であるヒトＨＴは、自分の手の親指ＳＹと中指ＭＹで霧化吸入装置１を挟んで保持し、人指し指ＨＹでボタン１３を押す。電極板１４は、親指ＳＹと中指ＭＹでハウジング１１を保持したときに親指ＳＹが置かれる位置に貼ってあり、そのため親指ＳＹの表面が電極板１４に接触する。これによって、ヒトＨＴの人体を介して頭部ＴＢと超音波振動子１２との間に電圧が印加される。この電圧によって、霧化された液体が帯電される。
【００２５】
図３において、ハウジング１１は、容器状のハウジング本体１１１と板状の蓋体１１２とからなる。ハウジング本体１１１は、合成樹脂からなっており、平面視が楕円形状であり、側面視が略矩形であるが、上辺が前方に向かって傾斜している。蓋体１１２は、同じく合成樹脂からなっており、平面視が楕円形状であり、ハウジング本体１１１の上部開口部に嵌まり込む。ハウジング１１の内部には、種々の薬液や水などの液体ＥＴを溜めるタンク１５が、ハウジング本体１１１の底面内部に設けられた枠突起１１３内に着脱可能に配置されている。
【００２６】
タンク１５は、合成樹脂からなり、有底円筒状の本体１５１、本体１５１の上蓋部１５２に設けられた円筒状の口部材１５３からなる。上蓋部１５２には、液体ＥＴを補充するための小穴１５４が設けられている。小穴１５４から注射針を差し込み、注射器からタンク１５内へ液体ＥＴを補充しまたは充填することができる。なお、小穴１５４は小さいので、タンク１５を逆さまにした場合でも中に入った液体ＥＴは漏れない。
【００２７】
タンク１５には、上に述べた超音波振動子１２が装着されている。超音波振動子１２は、ボルト締めランジュバン型の振動トランスデューサである。
【００２８】
すなわち、超音波振動子１２は、ホーン３１、圧電素子３２，３３、電極板３４、３５、ナット部材３６、３７、Ｏリング３８、３９、フィルタ板４０、およびキャップ４１などからなる。
ホーン３１は、超音波振動の軸となるものであり、ステンレス鋼などの金属材料からなり、中央部の外周面にはネジが設けられ、中央部から先端（上端）および下端のそれぞれに向かってテーパ状に細くなっている。先端部には、有底円筒状の先端霧化部５１が一体的に設けられ、先端霧化部５１の中に、上に述べたフィルタ板４０が装着され、キャップ４１によってフィルタ板４０の脱落防止がなされている。下端部には、円柱状の径大部５２が設けられている。ホーン３１の軸心部には、液体ＥＴを流通させる貫通穴５３が設けられている。
【００２９】
圧電素子３２，３３は、圧電セラミックス振動子からなるバイモルフ構造である。一方の圧電素子３２には、２つの電極板３４および３５によって電圧が印加され、他方の圧電素子３３には、１つの電極板３５とナット部材３７とによって電圧が印加される。ナット部材３７は、ホーン３１およびナット部材３６を介して電気的に接続されている。
【００３０】
電極板３４、３５は、胴などからなるリング状のものであり、周縁の一部に突出部が設けられており、突出部に駆動電圧を印加するためのリード線が接続される。リード線は、口部材１５３に設けられた小穴から外部に引き出される。
【００３１】
ナット部材３６、３７は、ホーン３１の外周面に設けられたネジに螺合して、圧電素子３２，３３および電極板３４、３５を締めつける。ナット部材３６、３７には、円柱状の径大部の外周面に周溝がそれぞれ設けられており、周溝にＯリング３８、３９が装着されている。ナット部材３６、３７のそれぞれの径大部の軸方向の外側に、ネジ締めの際にスパナなどを係合させる六角面が設けられている。
【００３２】
超音波振動子１２は、ホーン３１の径大部５２がタンク１５の底に近くなるように挿入され、２つのＯリング３８、３９が口部材１５３の内周面に密着するように挿入される。ナット部材３７の下側面が、タンク１５に設けられたつば部１５５の上面に当接し、これによって超音波振動子１２のタンク１５に対する軸方向の位置決めがなされる。
【００３３】
図４（Ａ）（Ｂ）に示すように、フィルタ板４０は、チタン合金またはステンレス鋼などの金属材料から円板状に形成されており、多数の微細穴であるオリフィス５４が設けられている。オリフィス５４は、内側（下側）の径が大きく、外側（上側）の径が小さくなっている。ホーン３１の振動がフィルタ板４０に伝搬され、オリフィス５４の振動によって貫通穴５３から吸い上げられた液体ＥＴが圧縮され、その撥作用によって液体ＥＴが外方へ弾かれて霧化され、射出される。霧化された気泡つまりマイクロバブルは、直径が例えば１〜１０μｍ程度である。なお、フィルタ板４０および先端霧化部５１が、本発明における射出口に対応する。
【００３４】
キャップ４１は、ジルコンまたはデルリン材などからなり、超音波振動によって外れないように先端霧化部５１に多い被さっている。
【００３５】
なお、先端霧化部５１は、蓋体１１２に設けられた円形の穴１１４からハウジング１１の外方へ突出している。しかし、必ずしも突出する必要はない。
【００３６】
次に、霧化吸入装置１の電気回路について説明する。
【００３７】
図５において、霧化吸入装置１は、電源である電池６１、スイッチ６２、駆動回路６３、電圧印加回路６４、圧電素子３２，３３、および電極板１４などからなる。
【００３８】
電池６１は、例えば、単４号乾電池を２本直列にして用いる。この場合には、電源電圧は３ボルトとなる。なお、電池６１に代えて、商用交流電源からＡＣアダプターを介して適当な電圧の電源を得てもよい。
【００３９】
スイッチ６２は、電池６１と他の回路との接続をオンオフする。上に述べたボタン１３を押すとスイッチ６２がオンし、離すとオフする。なお、自己保持型のスイッチを用いてもよい。
【００４０】
駆動回路６３は、２５〜１００ｋＨｚ程度の超音波信号Ｓ２を出力し、超音波振動子１２を超音波駆動する。駆動回路６３は、適当な発振器、インバータ、電力増幅回路などの従来公知の回路を用いることによって構成することができる。超音波信号Ｓ２の波形を、正弦波や矩形波などの種々の波形とするために、矩形波発信回路、ゲート回路、または変調回路などを適当に組み合わせればよい。
【００４１】
なお、駆動回路６３として、上に述べた特許文献２〜６に記載された回路などを適宜用いることができる。
【００４２】
電圧印加回路６４は、超音波振動子１２と電極板１４との間に、霧化された液体を帯電させるための電圧ＴＥを出力する。つまり、電圧印加回路６４の出力の一方は、電極板３４およびホーン３１を介して先端霧化部５１およびフィルタ板４０に接続されている。電圧印加回路６４の出力の他方は電極板１４に接続されている。印加される電圧ＴＥの大きさ、極性、波形、周期などは、霧化吸入装置１を使用する目的、使用する液体ＥＴの種類などにより、切換え器６５によって切り換えることができる。次に、電圧印加回路６４から出力可能な電圧ＴＥの例について説明する。
（１）  先端霧化部５１にマイナス、電極板１４にプラスの直流電圧ＴＥ１。直流マイナスモード。
（２）  先端霧化部５１にプラス、電極板１４にマイナスの直流電圧ＴＥ２。直流プラスモード。
（３）  先端霧化部５１と電極板１４との間に、第１の周波数ｆ１を有する第１の電圧と、第２の周波数ｆ２を有する第２の電圧とを、時間軸に沿って異なる位置で出力する電圧ＴＥ３。固定連続モード。
（４）  先端霧化部５１と電極板１４との間に、第１の周波数ｆ１から第２の周波数ｆ２まで掃引するスイープ電圧を出力する電圧ＴＥ４。スイープモード。
（５）  先端霧化部５１と電極板１４との間に、第１の周波数ｆ１を有する第１の電圧を第２の周波数ｆ２を有する第２の電圧によって変調した電圧を出力する電圧ＴＥ５。ＰＷＭモード。
【００４３】
これらのうち、固定連続モード、スイープモード、ＰＷＭモードは、低い周波数ｆ１と高い周波数Ｆ２の２種類の周波数の電圧を印加するものである。本発明者らの研究によって、これらの周波数ｆ１，ｆ２を選定することにより、それにより帯電され霧化された液体ＥＴがヒトＨＴの体内組織に吸収し易くなることが分かった。
【００４４】
そのような周波数の組み合わせは、例えば、
（１）  １ＫＨＺと５ＫＨＺ
（２）  １ＫＨＺと１０ＫＨＺ
（３）  １ＫＨＺと４０ＫＨＺ
（３）  ２ＫＨＺと１０ＫＨＺ
（４）  ２ＫＨＺと２５ＫＨＺ
（５）  ２ＫＨＺと４０ＫＨＺ
（６）  ４ＫＨＺと２０ＫＨＺ
（７）  ６ＫＨＺと４０ＫＨＺ
また、電圧ＴＥの波形は、方形波（脈波）、パルス波などである。デューティ比は、５０％、またはこれより大きい値または小さい値である。電圧ＴＥの大きさは、１ボルト〜十数ボルト程度、例えば１．５ボルトまたは１５ボルト程度であり、これによって流す電流は数μＡ〜数百μＡ、例えば３００〜５００μＡ程度である。また、必要に応じて、電圧を印加しない休止期間を設ける。休止期間によって、薬剤による飽和を還元する（レドックス性）。電圧ＴＥのサイクルとして、電圧を出力する１回に時間が十〜数十ｍｓ程度、例えば１５〜３０ｍｓ程度、その後に休止期間を設け、この繰り返しを１ないし数分間、または十数分間程度行う。
【００４５】
次に電圧波形の具体例について説明する。
【００４６】
図６に示す電圧波形は、上に述べた（３）の電圧ＴＥ３の波形の例である。図６において、最初に、オン時間Ｔ１とオフ時間Ｔ２とを持つ正パルスＰＬ１が、時間Ｔ１１の間出力され、オン時間Ｔ３とオフ時間Ｔ４とを持つ負パルスＰＬ２が、時間Ｔ１２の間出力され、休止時間Ｔ１３が続く。これが１周期Ｔ０として繰り返される。
【００４７】
そこで、例えば、オン時間Ｔ１およびオフ時間Ｔ２を制御して、正パルスＰＬ１の周波数を１周期Ｔ０ごとにｆ１とｆ２とに切り換える。これによって、２つの周波数ｆ１，ｆ２の電圧が時間軸に沿って交互に印加される。時間Ｔ１１は、１５〜３０ｍｓ程度である。時間Ｔ１は、周波数ｆ１が例えば１ｋＨｚの場合に、０．５ｍｓ、周波数ｆ２が例えば４０ｋＨｚの場合に、１２．５μｓである。
【００４８】
図７に示す電圧波形は、上に述べた（４）の電圧ＴＥ４の波形の例である。図７において、最初に、周波数ｆ１の正パルスから始まって周波数ｆ２の正パルスまで連続的に周波数が変化するスイープパルスＰＬ３が、時間Ｔ１１の間出力される。そして、オン時間Ｔ３とオフ時間Ｔ４とを持つ負パルスＰＬ２が、時間Ｔ１２の間出力され、休止時間Ｔ１３が続く。これが１周期Ｔ０として繰り返される。これによって、低い周波数ｆ１から高い周波数ｆ２へスイープして印加される。
【００４９】
図８に示す電圧波形は、上に述べた（５）の電圧ＴＥ５の波形の例である。図８において、周波数ｆ２のパルスＰＬ５によって変調された周波数ｆ１のパルスＰＬ４からなるＰＷＭパルスＰＬ４が、時間Ｔ１１の間出力される。そして、オン時間Ｔ３とオフ時間Ｔ４とを持つ負パルスＰＬ２が、時間Ｔ１２の間出力され、休止時間Ｔ１３が続く。これが１周期Ｔ０として繰り返される。これによって、低い周波数ｆ１のそれぞれのパルスＰＬ４の中に高い周波数ｆ２のパルスＰＬ５を入れた変調パルスが印加される。この場合に、パルスＰＬ５の周波数ｆ２を１つのパルスＰＬ４の中で変化させてもよい。
【００５０】
また、ＰＷＭモードにおいて、図９に示すように、図８に示すＰＷＭパルスＰＬ４、負パルスＰＬ２、および休止時間Ｔ１３からなる１つの周期を複数回繰り返して順サイクルＴ０１とした後、それらＰＷＭパルスＰＬ４と負パルスＰＬ２とを正負逆転したものを複数回繰り返して逆サイクルＴ０２とする。これらの全体を１周期Ｔ０とする。
【００５１】
このような電圧印加回路６４は、適当な発振器、インバータ、波形成形回路、パルス回路、電力増幅回路などの従来公知の回路を用いることによって構成することができる。なお、上の実施形態において、超音波振動子１２、タンク１５、および駆動回路６３が、本発明における超音波駆動装置に相当する。
【００５２】
本発明者らの実験によると、多くの場合に、先端霧化部５１が主としてマイナスとなるように電圧を印加し、低い周波数ｆ１として４ｋＨｚを、高い周波数ｆ２として２０ｋＨｚを用い、スイープモードとした場合が特に良好であった。
【００５３】
上に述べたように、本実施形態の霧化吸入装置１によると、超音波振動により液体ＥＴを霧化するとともに、電圧ＴＥによって超音波振動子１２に電位を与え、これによって帯電霧化という方法によって吸入を行う。
【００５４】
すなわち、霧化された液体ＥＴは、微細な荷電分子として荷電泳動の律に基づいて代謝運搬作用を働かせることになる。つまり、霧化された液体ＥＴの微粒子は、空気を巻き込んだ（抵抗摩擦）気液混合において、空気中の湿度に拡散する律が、抵抗より粒子の荷電値がマイナスのプロトン（Ｈ＋）と大気酸性のプラス側に、電位的移動が極性吸引の理において大気摩擦を上回る分布浮遊を形成する。このように、霧分子の電荷移動が行われる。このようにして、液体ＥＴの霧化、電離分解、イオン化、気液混合、鼻や口からの吸入という過程が成り立つ。
【００５５】
本実施形態の霧化吸入装置１によると、従来よりも吸入が大幅に効率よく行われる。また、霧化吸入装置１の全体が小型であり、携帯に便利であり、いつでも容易に吸入を行うことができる。霧化吸入装置１がどのような姿勢であっても、つまり逆さまにしても、中の液体ＥＴが漏れないので、寝たままの患者に対しても容易に吸入によって投薬を行うことができる。
【００５６】
本実施形態の霧化吸入装置１は、薬物または薬液などの鼻道投与、呼吸引入、口腔吸入など、内肺拡散送達投与の手段として適用される。また、フレグランス散臭、デオロランド効果、脱臭、消喚、消毒、殺菌など、種々の用途に適用することができる。
【００５７】
上に述べた実施形態において、電極板１４をハウジング１１の外周面に貼り付けたが、ハウジング１１の底面、上面、ボタン１３の上面、その他、ハウジング１１の形状や手で持つ形態に応じて適当な位置に電極板１４を貼り付ければよい。また、ハウジング１１の全体または一部を金属材料または導電材料で構成してもよい。また、ヒトの肌に巻き付けたり貼り付けたりする電極板を別途設け、適当な電線で接続してもよい。電圧印加回路６４を霧化吸入装置１とは別途に外部に設けてもよい。
【００５８】
タンク１５をハウジング１１の内部に収納したが、タンク１５をハウジング１１とは別体で構成し、且つそれらを連結部材によって連結するように構成してもよい。このようにすると、タンク１５の交換がより一層簡単になる。切換え器６５は、ハウジング１１の内部に設けてもよいし、外部から操作可能なように設けてもよい。
【００５９】
その他、超音波振動子１２、ハウジング１１、タンク１５、電極板１４、電圧印加回路６４、および霧化吸入装置１の全体または各部の構造、構成、形状、寸法、個数、材質、回路、信号の波形、タイミングなどは、本発明の趣旨に沿って適宜変更することができる。
【図面の簡単な説明】
【００６０】
【図１】本発明の実施形態に係る霧化吸入方法を示す図である。
【図２】本発明に係る実施形態の霧化吸入装置の外観図である。
【図３】霧化吸入装置の内部構造の一部を示す断面図である。
【図４】フィルタの正面図および拡大断面図である。
【図５】霧化吸入装置の電気回路図である。
【図６】電圧印加回路の出力波形の例を示す図である。
【図７】電圧印加回路の出力波形の他の例を示す図である。
【図８】電圧印加回路の出力波形の他の例を示す図である。
【図９】電圧印加回路の出力波形の他の例を示す図である。
【符号の説明】
【００６１】
１  霧化吸入装置（液体霧化装置）
１１  ハウジング
１２  超音波振動子
１４  電極板
１５  タンク
３１  ホーン
４０  フィルタ板
５１  先端霧化部
６３  駆動回路
６４  電圧印加回路
【図１】
2007185439.tif 000003
【図２】
2007185439.tif 000004
【図３】
2007185439.tif 000005
【図４】
2007185439.tif 000006
【図５】
2007185439.tif 000007
【図６】
2007185439.tif 000008
【図７】
2007185439.tif 000009
【図８】
2007185439.tif 000010
【図９】
2007185439.tif 000011